(57)【要約】【課題】照明器具の設置作業や、設置後のメンテナンスを、手間を掛けずに簡単に実施できるようにする。【解決手段】照明器具Ｌの設置対象となる躯体部２に、照明器具支持金具１を介して照明器具Ｌが支持してある照明器具支持構造であって、照明器具支持金具１は、躯体部２に設置されているケーブルラック４に対して係止自在な係止取付部７と、照明器具Ｌを取付自在な器具取付部８とを備えて構成してあり、器具取付部７を照明器具Ｌに取り付けると共に、係止取付部７をケーブルラック４に係止させることで、照明器具Ｌを、ケーブルラック４に支持している。【選択図】図３
2015156304.tif 000002
【特許請求の範囲】
【請求項１】
照明器具の設置対象となる躯体部に、照明器具支持金具を介して前記照明器具が支持してある照明器具支持構造であって、
前記照明器具支持金具は、前記躯体部に設置されているケーブルラックに対して係止自在な係止取付部と、前記照明器具を取付自在な器具取付部とを備えて構成してあり、
前記器具取付部を前記照明器具に取り付けると共に、前記係止取付部を前記ケーブルラックに係止させることで、前記照明器具を、前記ケーブルラックに支持している照明器具支持構造。
【請求項２】
前記係止取付部は、前記ケーブルラックの側桁に係止自在なフック部と、前記側桁を挟持することで前記フック部の係止解除を阻止する挟持手段とを備えている請求項１に記載の照明器具支持構造。
【請求項３】
前記照明器具支持金具は、前記係止取付部を備えた照明器具支持金具本体と、前記器具取付部を備えた取付部材とを嵌合連結部を介して一体連結してあり、
前記嵌合連結部には、前記照明器具支持金具本体と前記取付部材との前記ケーブルラックの長手方向に沿った相対位置を変更自在な位置変更手段が設けてある請求項１又は２に記載の照明器具支持構造。
【請求項４】
前記嵌合連結部は、前記ケーブルラックの長手方向に沿った軸部を前記照明器具支持金具本体と前記取付部材との一方に設けると共に、前記軸部を囲繞支持する囲繞部を前記照明器具支持金具本体と前記取付部材との他方に設けて構成してあり、
前記囲繞部に対する前記軸部の抜け止めを図る抜け止め手段が設けてある請求項３に記載の照明器具支持構造。
【発明の詳細な説明】
【技術分野】
【０００１】
本発明は、照明器具の設置対象となる躯体部に、照明器具支持金具を介して前記照明器具が支持してある照明器具支持構造に関する。
【背景技術】
【０００２】
従来、この種の照明器具支持構造としては、例えば、トンネル内周壁（躯体部に相当）に照明器具を取り付けてある例として、帯板やアングル材で構成された４本の支持脚を、トンネル内周壁にそれぞれアンカーボルト等でネジ固定し、その支持脚に対して、多数本のボルトを用いて照明器具を固定してあるものがあった（例えば、特許文献１参照）。
【先行技術文献】
【特許文献】
【０００３】
【特許文献１】特開２０１１−１８７３０４号公報（図１）
【発明の概要】
【発明が解決しようとする課題】
【０００４】
上述した従来の照明器具支持構造によれば、躯体部への照明器具の取り付けに、アンカーボルトやその他のボルト等の多数本のネジ部材を使用しているから、照明器具の設置作業においては、それら多数本のネジ部材を締結する必要があり、手間の掛かるものであった。ましてや、トンネル内周壁に照明器具を取り付ける際のネジ部材の締結作業は、一般的に頭上方向を向いた姿勢での作業となり易いから、さらに手間が掛かるものであった。
また、各ネジ部材は、例えば、トンネル内での車両等の通行による振動の影響で、緩みやすい環境下に曝されており、ネジ部材の緩みや抜け落ち、及び、それに伴う照明器具の脱落等を防止する為のメンテナンスにも多大なる手間が掛かり易い問題点があった。
【０００５】
従って、本発明の目的は、上記問題点を解消し、照明器具の設置作業や、設置後のメンテナンスを、手間を掛けずに簡単に実施できる照明器具支持構造を提供するところにある。
【課題を解決するための手段】
【０００６】
本発明の第１の特徴構成は、照明器具の設置対象となる躯体部に、照明器具支持金具を介して前記照明器具が支持してある照明器具支持構造であって、
前記照明器具支持金具は、前記躯体部に設置されているケーブルラックに対して係止自在な係止取付部と、前記照明器具を取付自在な器具取付部とを備えて構成してあり、
前記器具取付部を前記照明器具に取り付けると共に、前記係止取付部を前記ケーブルラックに係止させることで、前記照明器具を、前記ケーブルラックに支持しているところにある。
【０００７】
本発明の第１の特徴構成によれば、もともと躯体部に設置されているケーブルラック、及び、その支持構造をそのまま利用しながら、照明器具を支持させることができるから、支持構造の兼用化を図れる。従って、メンテナンスに掛ける工数を少なくすることができる。
また、照明器具支持金具の設置作業そのものは、ケーブルラックに対して係止取付部を係止させることで実施できるから、従来のように、多数のネジ部材を締結して行うのに比べて、より簡単に且つ効率よく実施することができる。
更には、ケーブルラックに対して係止取付部を係止させてあるから、例えば、ボルト止めのように緩む心配がなく、仮に、何らかの振動等が作用しても、係止取付部によるケーブルラックへの係止状態を維持でき、躯体部に対する照明器具の支持をより確実に行うことができる。
【０００８】
本発明の第２の特徴構成は、前記係止取付部は、前記ケーブルラックの側桁に係止自在なフック部と、前記側桁を挟持することで前記フック部の係止解除を阻止する挟持手段とを備えているところにある。
【０００９】
本発明の第２の特徴構成によれば、ケーブルラックの側桁にフック部を係止するだけの簡単な操作によって照明器具支持金具を設置することができながら、挟持手段を作用させることで、フック部の係止解除が阻止されるから、ケーブルラックに取り付けた照明器具支持金具が係止状態で揺動したり脱落することを防止でき、確実な設置状態の維持を図ることができる。
つまり、ケーブルラックに対して、照明器具支持金具を取り付け易く、且つ、外れ難くすることができる。
また、ケーブルラックにおけるケーブル載置部の側方に位置する側桁に、係止取付部を係止させてあるから、ケーブル載置部に照明器具支持金具が干渉することがない。よって、ケーブル載置部上のケーブルの有無に拘わらず、照明器具支持金具の着脱作業を実施することができる他、照明器具支持金具をケーブルラックに取り付けてある状態でのケーブルの設置や撤去作業も、自由に実施することができ、照明器具支持金具やケーブルの設置作業の自由性が向上する。
【００１０】
本発明の第３の特徴構成は、前記照明器具支持金具は、前記係止取付部を備えた照明器具支持金具本体と、前記器具取付部を備えた取付部材とを嵌合連結部を介して一体連結してあり、
前記嵌合連結部には、前記照明器具支持金具本体と前記取付部材との前記ケーブルラックの長手方向に沿った相対位置を変更自在な位置変更手段が設けてあるところにある。
【００１１】
ケーブルラックは、左右に一対の側桁と、それら一対の側桁の下縁部にわたって棒状のケーブル支持金具が、ケーブルラックの長手方向に間隔をあけて取り付けられているのが一般的な形状である。
また、躯体部に対するケーブルラックの固定は、ケーブルラックの長手方向に間隔をあけた躯体部分に固着された複数のブラケット部材によって実施されており、ケーブルラックは、これら複数のブラケット部材にわたって載置状態に固定されている。
従って、ケーブルラックの側桁に照明器具支持金具を取り付けるに当たっては、前記ケーブル支持金具や、前記ブラケット部材と干渉しないように位置決めを行う必要がある。  しかしながら、照明器具支持金具の位置は、本来的には照明器具の設置位置によって決定されるべきものであるから、たまたま、照明器具の設置位置にケーブル支持金具やブラケット部材が干渉するような場合もあり、その時には、照明器具支持金具を変形加工して対処する必要があり、繁雑な作業が余儀なくされる。
【００１２】
本発明の第３の特徴構成によれば、照明器具支持金具本体と取付部材とを嵌合連結部で一体連結すると共に、その嵌合連結部に位置変更手段を設けてあるから、照明器具支持金具本体（係止取付部）と、取付部材（器具取付部）とのケーブルラック長手方向での相対位置の変更を、前記位置変更手段によって簡単に実施することができる。
従って、照明器具の位置を変えずに（器具取付部の取付位置の変更をせずに）、係止取付部の位置（ケーブルラック長手方向での位置）を変更することができ、前記ケーブル支持金具や、前記ブラケット部材と干渉しない位置に照明器具支持金具を取り付けることが可能となる。
その結果、照明器具支持金具の変形加工等の繁雑な作業を実施する必要が無くなり、照明器具の設置作業を、効率的に且つ経済的に実施することができる。
【００１３】
本発明の第４の特徴構成は、前記嵌合連結部は、前記ケーブルラックの長手方向に沿った軸部を前記照明器具支持金具本体と前記取付部材との一方に設けるとと共に、前記軸部を囲繞支持する囲繞部を前記照明器具支持金具本体と前記取付部材との他方に設けて構成してあり、
前記囲繞部に対する前記軸部の抜け止めを図る抜け止め手段が設けてあるところにある。
【００１４】
本発明の第４の特徴構成によれば、照明器具支持金具本体と取付部材との連結作用のみならず、軸部と囲繞部とを軸心周りに相対回転することが可能となり、取付部材に取り付けた照明器具を、軸心周りに回転させて、照射方向の変更調整を行うことが可能となる。
更には、囲繞部から軸部が抜けるのを前記抜け止め手段によって防止できるようになる。従って、不用意に軸部から囲繞部が抜け落ちることを防止して、安定した状態に照明器具を設置できるようになる。
【図面の簡単な説明】
【００１５】
【図１】照明器具支持金具の設置状態を示すトンネル軸芯方向視の要部断面図
【図２】ケーブルラックと照明器具支持金具との取付状態を示す要部斜視図
【図３】ケーブルラックと照明器具支持金具との取付状態を示すトンネル軸芯方向視の要部断面図
【図４】ケーブルラックと照明器具支持金具との取付状態を示すトンネル側面視の説明図
【図５】照明器具支持金具の分解斜視図
【図６】抜け止め手段の作用状況を示すトンネル軸芯方向視の説明図
【図７】別実施形態の照明器具支持構造を示すトンネル軸芯方向視の要部断面図
【発明を実施するための形態】
【００１６】
以下に本発明の実施の形態を図面に基づいて説明する。
【００１７】
図１は、照明器具支持金具１を使用して、トンネル内周壁（躯体部の一例）２に照明器具Ｌが支持されている状態を示している。
【００１８】
トンネル内周壁２は、図に示すように、横断面形状が馬蹄形となるように形成してあり、内空部は、例えば、道路トンネルや鉄道トンネル等として使用することができる。
構造は、例えば、鉄筋コンクリート造として構成してある。
トンネル断面での天井部と側壁部との境界範囲には、トンネル軸心方向に間隔をあけて多数のブラケット部材３が固着してあり、それら多数のブラケット部材３に架け渡す状態にケーブルラック４が設けられている。図では、トンネル断面の一部を記載しているが、ブラケット部材３は、トンネル軸芯方向視での左右両方にそれぞれ設けられている。
尚、図には示さないが、トンネル内周壁２に対するブラケット部材３の取り付けは、例えば、アンカーボルト等のネジ部材によって固着してあり、ブラケット部材３に対するケーブルラック４の取り付けは、例えば、フックボルト等のネジ部材によって固着してある。
【００１９】
ブラケット部材３は、例えば、金属製アングル部材によって構成することができ、図１、図２に示すように、トンネル内周壁２への取付部３Ａと、前記ケーブルラック４を取り付けるラック支持部３Ｂとを備え、取付部３Ａとラック支持部３Ｂとは、互いが「く」字形状に交差させて構成されている。トンネル内周壁２に取り付けた状態においては、ラック支持部３Ｂが、水平（または、ほぼ水平）となるように設置されている。
また、ラック支持部３Ｂの先端部は、アングル部材の一部を上方に切り起こしてあり、不測の事態によりケーブルラック４の取り付けが解除されても、この切り起こし部３Ｂａによって、ケーブルラック４やその他の載置物がトンネル断面での中央側にずれ落ちるのを防止している。
【００２０】
ケーブルラック４は、図２に示すように、左右に一対の側桁４Ａと、それら一対の側桁４Ａの下縁部にわたって設けられた帯板状のケーブル支持金具４Ｂとを一体的に設けて構成してある。ケーブル支持金具４Ｂは、ケーブルラック４の長手方向に間隔をあけて所定のピッチで取り付けられている（図２、図４参照）。
図には示していないが、ケーブル支持金具４Ｂの上に、各種ケーブル類や配管類が設置されている。
また、トンネル幅方向での外側に位置している側桁４Ａに、照明器具支持金具１を介して、照明器具Ｌが設置されている（図１、図３参照）。
【００２１】
照明器具Ｌは、例えば、ＬＥＤ等の光源５を備えて構成され、図３、図４に示すように、矩形断面形状の長尺体からなるケーシングＬａで覆われている。４つの長尺周面の内の一つが、投光面６として構成されている。
また、投光面６の背面側の面における長手方向両端部に、照明器具支持金具１がそれぞれ取り付けられている。この取付手段は、例えば、緩み止め対策を講じたネジ止めであったり、溶接等によって実施してある。
【００２２】
照明器具支持金具１は、図５に示すように、側桁４Ａに対して係止自在な係止取付部７を備えた金具本体（照明器具支持金具本体に相当）１Ａと、照明器具Ｌを取付自在な器具取付部８を備えた取付部材１Ｂとを、嵌合連結部９を介して一体連結して構成してある。
【００２３】
係止取付部７は、側桁４Ａに係止自在なフック部７ａと、側桁４Ａを金具本体１Ａとの間に挟持することでフック部７ａの係止解除を阻止する挟持部材（挟持手段に相当）７ｂとを備えて構成してある。
【００２４】
フック部７ａは、帯板で構成した金具本体１Ａの上端部を折り返した形状に構成してある。また、フック部７ａは、金具本体１Ａの幅方向の中間の切欠部１０を挟んで一対形成してある。従って、これら二つのフック部７ａを側桁４Ａに係止させることで、安定した姿勢を維持した状態に係止させることができ、照明器具Ｌの安定支持を叶えることができる。
【００２５】
挟持部材７ｂは、帯板で構成してあり、上端部には、金具本体１Ａのフック部７ａの屈曲方向と反対方向に屈曲した第２フック部１１を備えると共に、下端部には、金具本体１Ａに沿わせてボルト締めするボルト取付部１２が形成してある。
【００２６】
側桁４Ａへの係止取付部７の取り付けは、図３に示すように、フック部７ａを側桁４Ａに係止させた状態で、側桁４Ａを挟んだ対向側に挟持部材７ｂを配置し、両フック部７ａ間の切欠部１０において第２フック部１１が側桁４Ａに係止するように挟持部材７ｂをセットし、ボルト取付部１２において、金具本体１Ａと挟持部材７ｂとをネジ部材Ｓを用いて締結することで実施できる。尚、ネジ部材Ｓは、緩み防止手段を備えたものを使用している。
このように、フック部７ａ、第２フック部１１による側桁４Ａへの係止作用、及び、挟持部材７ｂと金具本体１Ａとによる側桁４Ａの挟持作用によって、当該照明器具支持金具１をケーブルラック４に、より確実に且つ外れ難い状態に取り付けることができる。
【００２７】
一方、金具本体１Ａの下端部には、嵌合連結部９を構成する囲繞部９Ａが設けてある。
この囲繞部９Ａは、帯板状の金具本体１Ａの下端部を、屈曲断面が筒状となるように折返して構成してある。
折返し端部と、その折返し端部を沿わす金具本体１Ａの対応部とは、ネジ部材Ｓを用いて締結できるように構成されている。ネジ部材Ｓの締込深度を変化させることで、囲繞部９Ａの内径の増減を調整することができる。従って、後述する取付部材１Ｂに形成した軸部９Ｂを、囲繞部９Ａに挿入する時、及び、軸部９Ｂの回転角度の調整を行う時は、ネジ部材Ｓを緩めておき、嵌合連結部９をロックする時には、ネジ部材Ｓを締め付けることで実施できる。尚、軸部９Ｂの回転角度の調整は、例えば、照明器具Ｌによる投光角度の調整時に実施される。
【００２８】
取付部材１Ｂは、図５に示すように、軸部９Ｂを構成する円筒部材１３と、円筒部材１３の長手方向の中央部（又は、ほぼ中央部）に一体に形成されたフランジ部１４と、フランジ部１４の一端側に形成された折り曲げ部１５とを備えて構成してある。折り曲げ部１５には、照明器具Ｌが固定される。
【００２９】
円筒部材１３は、囲繞部９Ａの拡径状態においては挿入自在で且つ軸芯周りに回転自在で、挿入した後の縮径状態においてロックできるように外径寸法が設定されている。
【００３０】
また、円筒部材１３の長さ寸法は、囲繞部９Ａの筒軸芯方向の長さ寸法に若干の余裕を見込んだ嵌合可能長さに位置調整代を加えた長さ、具体的には、嵌合可能長さの２倍に設定されている。従って、嵌合連結部９を構成する円筒部材１３には、フランジ部１４を境にして二つの軸部９Ｂが同芯軸上に備えられており、何れの軸部９Ｂに対しても、囲繞部９Ａを嵌合させることができるように形成されている。
これは、図４に示すように、側桁４Ａの長手方向に沿っては、多数のケーブル支持金具４Ｂや、ブラケット部材３が位置しているから、それらが、時には、照明器具支持金具１の取付希望位置と干渉する虞があり、その場合に、二つの軸部９Ｂの他方側に囲繞部９Ａを嵌合させることで、相互の干渉を回避でき、照明器具Ｌの位置を変えずに、支持することが可能となる。
即ち、これら二つの軸部９Ｂを備えてあることで、金具本体１Ａと取付部材１Ｂとのケーブルラック４の長手方向に沿った相対位置を変更することができる。当該実施形態においては、これら二つの軸部９Ｂによって位置変更手段Ｈが構成されている。
【００３１】
また、円筒部材１３の端面部の一部には、図５、図６に示すように、径方向外方に突出した突起１３ａが周方向の一箇所に固着してある。
この突起１３ａを設けてあることで、円筒部材１３が囲繞部９Ａから抜けるのを、囲繞部９Ａの縁部に突起１３ａが当接することで阻止できるようになる。この突起１３ａによって抜け止め手段Ｎが構成されている。
尚、囲繞部９Ａに対する円筒部材１３の挿入時には、図６（ａ）に示すように、突起１３ａが、囲繞部９Ａの隙間１６を通過するように円筒部材１３の回転角度を合わすことで、引っ掛からずに挿入できる。また、挿入後は、図６（ｂ）に示すように、所定の方向に照明器具Ｌが向くように円筒部材１３の回転角度を調整すれば、突起１３ａが、隙間１６から外れた位置に移動し、抜け止めを図ることが可能となる。
【００３２】
このように、照明器具Ｌは、器具取付部８を照明器具Ｌに取り付けると共に、係止取付部７をケーブルラック４に係止させることで、ケーブルラック４に支持されている。
【００３３】
当該実施形態の照明器具支持構造によれば、ケーブルラックの支持構造を兼用化して照明器具の支持を実施でき、メンテナンス手間や、設置コストの低減を図ることができる。更には、取付操作が簡単で、且つ、確実な設置状態を維持することもできる。
【００３４】
〔別実施形態〕
以下に他の実施の形態を説明する。
【００３５】
〈１〉  照明器具Ｌの取付対象となる躯体部２は、先の実施形態で説明したトンネル内周壁に限るものではなく、例えば、プラットホームの天井裏や床下等、照明が必要で、且つ、ケーブルラックが設置されいる箇所であれば取付対象となる。それらを含めて躯体部２と総称する。
また、取付対象となる照明器具Ｌは、先の実施形態で説明したものに限るものではなく、その形状や種類等は、適宜変更することができる。
【００３６】
〈２〉  照明器具支持金具１は、先の実施形態で説明した部材構成や形状や材質に限るものではなく、適宜、変更することが可能で、例えば、係止取付部７は、二つのフック部７ａを備えることに限らず。単一、又は、三つ以上のフック部７を備えるものであってもよい。また、挟持部材７ｂには、第２フック部１１を備えたものに限らず、単に、側桁４Ａに対する挟持機能のみを果たす構成であってもよい。また、係止取付部７は、ケーブルラック４の側桁４Ａに係止させる構成に限るものではなく、例えば、ケーブル支持金具４Ｂに係止させるように構成してあってもよい。
【００３７】
〈３〉  位置変更手段Ｈは、先の実施形態で説明した二つの軸部９Ｂを備えた構成に限るものではなく、例えば、一つの軸部９Ｂの長手方向に囲繞部９Ａがスライドできるように構成してあってもよい。
要するに、照明器具支持金具本体１と取付部材１Ｂとのケーブルラック４の長手方向に沿った相対位置を変更自在な状態に嵌合連結部９に設けてあればよく、それらを含めて、位置変更手段Ｈと総称する。
【００３８】
〈４〉  嵌合連結部９は、先の実施形態で説明したように、囲繞部９Ａと軸部９Ｂとによる構成に限らず、適宜、変更することが可能である。
また、囲繞部９Ａと軸部９Ｂとによって構成する場合でも、囲繞部９Ａは照明器具支持金具本体１Ａに設け、軸部９Ｂは取付部材１Ｂに設ける構成に限らず、囲繞部９Ａは取付部材１Ｂに設け、軸部９Ｂは照明器具支持金具本体１Ａに設ける構成であってもよい。
【００３９】
〈５〉  抜け止め手段Ｎは、先の実施形態で説明した突起１３ａに限るものではなく、他の実施形態への転用が可能である。
要するに、囲繞部９Ａに対する軸部９Ｂの抜け止めを図れるように構成してあればよく、それらを含めて抜け止め手段Ｎと総称する。
【００４０】
〈６〉  照明器具支持金具１で支持する照明器具Ｌは、先の実施形態で説明した部材構成や形状や材質、及び、数量に限るものではなく、適宜変更することが可能で、例えば、図７に示すように、二つの照明器具Ｌを、並列させた状態に取り付けることも可能である。この実施形態においては、取付部材１Ｂのフランジ部１４と折り曲げ部１５の寸法が、先の実施形態のものに比べて長く設定されている。また、フランジ部１４における円筒部材１３の取付位置は、二つの照明器具Ｌの内の一方側に偏心させて設定されている。
当該実施形態によれば、照明器具Ｌの数が増加することで、より明るい照明を実施したり、点灯させる照明器具Ｌを選択的に切り替えて目的に応じた照明を実施することが可能となる。
【００４１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４２】
１      照明器具支持金具
１Ａ    金具本体（照明器具支持金具本体に相当）
１Ｂ    取付部材
２      トンネル内周壁（躯体部の一例）
４      ケーブルラック
４Ａ    側桁
７      係止取付部
７ａ    フック部
７ｂ    挟持部材（挟持手段に相当）
８      器具取付部
９      嵌合連結部
９Ａ    囲繞部
９Ｂ    軸部
Ｈ      位置変更手段
Ｌ      照明器具
Ｎ      抜け止め手段
【図１】
2015156304.tif 000003
【図２】
2015156304.tif 000004
【図３】
2015156304.tif 000005
【図４】
2015156304.tif 000006
【図５】
2015156304.tif 000007
【図６】
2015156304.tif 000008
【図７】
2015156304.tif 000009